(57)【要約】  【課題】  コンテナ容量を大きく確保可能であり、コンテナの低重心化による搭載車両の走行安定性と十分なコンテナ容量とを確保することができ、しかも駆動源などを必要とせず、散布口の開閉シャッターを手動操作だけで軽快且つ確実に開放操作可能とする新たな籾殻散布技術を提供する。  【解決手段】  トラクターＴに連結可能なコンテナ部２の底面２１前後二箇所夫々に、左右に亘って一文字状に開口する散布口４，４を形成すると共に、各散布口４，４に向かう所定角度のホッパー用斜面３１，３１，……からなるホッパー部３，３を夫々形成し、各ホッパー用斜面３１，３１，……上端縁を頂部とする左右方向縦断面三角型の底面上膨出部３２を形成した上、各散布口４，４には、前端がわを軸着端５１、後端がわを下向き開放可能な開閉端５２とし、遠隔操作可能な開放操作機構を有する開閉シャッター５を組み込んだ籾殻散布装置１である。【選択図】    図１
2008136459.tif 000002
【特許請求の範囲】
【請求項１】
トラクターその他の走行車両に着脱機構を介して連結または搭載可能な概略筐体状のコンテナ部を有し、該コンテナ部底面の前後配置となる二箇所の夫々に、左右に亘って一文字状に開口する前後長所定寸法の散布口を形成すると共に、それら各散布口に向かう漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとしたことを特徴とする籾殻散布装置。
【請求項２】
トラクターその他の走行車両に着脱機構を介して連結または搭載可能な概略筐体状のコンテナ部を有し、該コンテナ部底面の前後配置となる二箇所の夫々に、左右に亘って一文字状に開口する前後長所定寸法の散布口を形成すると共に、それら各散布口に向かう前後対峙壁面の双方に所定下り勾配をもたせるか、または前後対峙壁面の何れか一方に所定下り勾配をもたせ、且つ前後対峙壁面の何れか他方を垂直状に配するか、の何れか一方とした漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとしたことを特徴とする籾殻散布装置。
【請求項３】
トラクターその他の走行車両に着脱機構を介して連結または搭載可能な概略筐体状のコンテナ部を有し、該コンテナ部底面の前後均等配置となる二箇所の夫々に、左右に亘って一文字状に開口し、各開口の前後寸法をコンテナ部底面前後長寸法の１／３未満に設定した散布口を形成すると共に、それら各散布口に向かう漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとしたことを特徴とする籾殻散布装置。
【請求項４】
トラクターその他の走行車両に着脱機構を介して連結または搭載可能な概略筐体状のコンテナ部を有し、該コンテナ部底面の前後均等配置となる二箇所の夫々に、左右に亘って一文字状に開口し、各開口の前後寸法をコンテナ部底面前後長寸法の１／３未満に設定した散布口を形成すると共に、それら各散布口に向かう漏斗状のホッパー部を形成するよう、当該散布口直近のコンテナ部底面上要所に４５°以上の下り勾配としたホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとしたことを特徴とする籾殻散布装置。                                                                                  
【発明の詳細な説明】
【技術分野】
【０００１】
この発明は、粒状物や粉状物等を輸送し必要範囲に散布可能とする散布技術に関連するあらゆる分野をその技術分野とするものであって、トラクターやその他の農業用機械等の走行車両に連結あるいは搭載可能な散布装置を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑などを効率的に再利用するリサイクル分野、その他現時点で想定できない新たな分野までと、殆ど関連しない技術分野はない程である。                                                                                  
【背景技術】
【０００２】
（着目点）
稲作の収穫後に発生する大量の籾殻は、適正な処理を行わずに放置すると風に飛ばされたり、雨水に流されてしまう等して周辺環境に悪影響を与えてしまうことから、潰したり砕いたりするか、そのまま焼却あるいは蒸し焼きにして燻炭にする等の前処理を施した後、圃場に漉き込んで堆肥として利用するといった処理を行うのがこれまでの一般的なやり方となっているが、潰したり砕いたりする作業は、機械の導入や作業者の割り当て等の労力と経費が嵩むという問題があり、また、焼却や蒸し焼きの際に発生する煙や埃等は、田園地帯に近接する住宅や工場、道路を利用する歩行者や車両等に多大な迷惑をかけてしまう等といった問題があり、最近ではそれらの処理を避ける傾向にある。
【０００３】
（従来の技術）
こうした状況の中、近年、脱穀後の籾殻をそのまま圃場に散布し、土壌内に漉き込んで地中に還元してしまうことにより、籾殻の性状とその特異な殻構造とによって土壌の改善に繋がると共に、堆肥その他の有機肥料による施肥効果を高めることができる等の事実が次第に明らかになってきたことから、籾摺機から排出される籾殻を、如何にして均質且つ効率的に圃場に散布するかという技術に関心が寄せられるようになり、それら事情に着目した本願出願人は、既に特開平１１−２４３７１９号公報に開示されているとおりの技術的思想からなる「籾殻散布システムとその籾殻コンテナ」発明を開発、実用化することに成功している。
【０００４】
この既に開発済みとなっている「籾殻散布システムとその籾殻コンテナ」は、トラクターの後部に装着した、図７の籾殻コンテナの断面図中に示す、骨格体２の底部２１に設けられた図示しない開閉シャッターを、外部からの操作によって開放することにより、走行しながら籾殻Ｃを散布できるように構成したものであり、籾摺機から排出された籾殻Ｃは、直接籾殻コンテナ２内に収容できるようにし、そのまま圃場に運搬して効率的に散布することが可能となるようにしたものである。
【０００５】
ところが、この籾殻散布システムは、実際に実用に供してみると、大量の籾殻Ｃを収容した場合等には殊更のこと、図７中に示すコンテナのように、散布口４の上部に空洞部Ｓが発生し、次第に成長して籾殻Ｃの放出量を減少させ、最終的には完全に散布を停止してしまうという現象が起こり、籾殻Ｃを残していながら圃場面に対して均質な散布をできなくしてしまうという事態に立ち至ることがあり、常に作業の継続性を保証する点に問題を残すものとなっていることが判明した。
【０００６】
そこで、このような放出停止の原因を追求してみると、堆積状に収容された籾殻Ｃ同士の殻形状や芒、あるいは混入した稲藁の小枝等が噛合状となって散布口４の開口縁部を支えとするブリッジ状の排出空洞部Ｓを形成して排出不能とする事態を惹起してしまうという事実が明らかになり、既存のコンテナ２には、このような現象を阻止する手立てを考慮していなかったため、トラクターを一旦停止させて籾殻コンテナ２上部の図示しない供給口または散布口４から内部に棒やスコップ等を突き入れて排出空洞部Ｓを崩してしまわなければならないという余計な作業を必要とするだけではなく、トラクターを停止させたときに、併せて散布口４の閉鎖操作をせずに不用意に排出空洞部Ｓを崩すと、停止位置に大量の籾殻Ｃを落下させてしまってその後処理をしなければならなかったり、そうした事態もなく散布を再開させたとしても、暫く走行している中に、再度同じように排出空洞部Ｓを発生、成長させてしまい兼ねず、効率的な散布作業に支障を来す虞があった。
【０００７】
こうした籾殻Ｃ散布の作業性の悪化を解消すべく、本願出願人は、さらに、特開２００４−１２１２１９号公報、「籾殻散布装置」発明のように、走行車両に連結または搭載可能な骨格体と、該骨格体に支持されるようにした所定量の籾殻を収容可能とするコンテナ部とを有し、その底部に組み込まれた底面フレームの適所には、開閉シャッターを付設してある散布口を設けた上、該散布口下端開口部よりも上方であって平断面略中央付近には、横架状配置にした阻害部材を配してなるものとし、該阻害部材により、散布口から放出される直前の箇所で、器状の殻自体や芒あるいは混入した稲藁の小枝等が互いに噛合状となって連結堆積構造を形成しようとするのを一部隔離、分断状にしてしまうことから、従前までのもののように籾殻同士が塊状とならず、連続的に崩落するものとなって円滑且つ滞りなく放出でき、それまでのような放出停止による散布作業の中断などの支障を解消し得るものとなり、効率的で均質な圃場への籾殻散布を実現可能とする籾殻散布装置の開発にも成功している。
【０００８】
また、特開２００５−３１２４０８号公報開示の「籾殻散布装置」発明に開示したもののように、車両に連結可能な骨格体に支持されたコンテナ部を有し、その下部に前後送出面を形成し、一方の送出面下方に散布口を開口したホッパー部を形成した上、同散布口に平行する上位箇所に阻害部材を横架すると共に、散布口に開閉シャッターを組み込んでなり、散布口の前後縁側の夫々で籾殻の落下方向や速度を異ならせ、籾殻同士の噛合によって形成される空洞部の前後形状を積極的にアンバランス化して自然崩壊を促すものとし、籾殻同士が塊状とならずに連続的に崩壊するようにして円滑且つ滞りなく放出でき、放出停止による散布作業の中断を解消して効率的で均質な圃場への籾殻散布を実現、可能とすることができる籾殻散布装置も既に開発済みである。
【０００９】
しかしながら、このようなホッパー部や開閉シャッターおよび阻害部材などを装備した籾殻散布装置は、どうしても構造の複雑化を避けることができず、部品点数を増加させてしまうという欠点を有しており、市場には近時、トラクターに搭載され、使用状態にある籾殻散布装置の図８の側面図、およびコンテナ底部を縦断面化した図９の側面図に示すように、コンテナ２の底面２１の略全面を一枚か、あるいは前後二枚（または図示にはしていないが三枚のものなどもある。）の散布口４，４として開口し、夫々の散布口４，４を、後方に向けて開放可能とする開閉シャッター５，５が設けられ、図７に示すように、空洞部Ｓの形成を阻止することができ、しかも構造が簡素で低価格化された籾殻散布装置１が供給されるようになってきた。
【００１０】
ところが、このようにコンテナ２底面２１の略全面を開放するようにした籾殻散布装置１は、十分な量の籾殻Ｃを連続的に放出させるために、図中９に示す、開放上下寸法Ｍまたはｍを十分に大きく確保する必要があり、その結果、図８中に示すように、トラクターＴに安全に搭載可能なコンテナ２天面までの地上高Ｈに対して、コンテナ２の上下寸法ｈの比率を小さく設定しなければならず、コンテナ２の容量を大幅に減少させてしまうばかりでなく、タイヤが深く埋没してしまうような軟弱な圃場では、その高重心によって不安定な走行を強いられることとなって安全性の面に大きな不安を残すものであり、その傾向は、図９中に一点鎖線で示すように、底面２１の略全面を開放する大型の開閉シャッター５を有するタイプに極端に現れることとなり、同時に、この大型の開閉シャッター５に最も顕著な現象で、これら大きめのシャッター５としたものでは、トラクターを運行しながら籾殻Ｃの散布作業中、それらシャッター５で圃場に散在する稲藁屑を巻き込んで運行に支障をきたすようになってしまったり、何よりも、この従来型で二枚以上のシャッター５を設けたものでは、薄播き状の散布ができないか殆どできないものとなってしまうという課題を残していた。                                                                      
【特許文献１】（１）特開平１１−２４３７１９号公報    （２）特開２００４−１２１２１９号公報    （３）特開２００５−３１２４０８号公報
【発明の開示】
【発明が解決しようとする課題】
【００１１】
（問題意識）
上述したとおり、本願出願人が従前までに開発済みとしていた各種「籾殻散布装置」は、散布作業中におけるコンテナ部内の籾殻に空洞部が形成されるのを阻止し、予期せぬ散布停止を防止することができ、能率的な籾殻散布を実現化することに成功していたが、如何せん部品点数や製造工数の増加は避けられず、後発のコンテナ底面の略全面を開放可能する非常に簡素な構造の籾殻散布装置に対し、どうしても価格帯の面で引けを取るものにならざるを得ず、片や、それらの点で優勢に立つ後発のコンテナ底面の略全面を開放する籾殻散布装置といえば、コンテナ底面の地上高を十分に確保しなければ開閉シャッターの適正な開度を確保できないという実用面での致命的とも言うべき欠点を有し、しかも、コンテナ容量の減少や高重心化という新たな課題の外、閉鎖面積の大きな開閉シャッターを開閉操作するためには、専用モーターやトラクターのエンジン出力などを利用した複雑な開閉操作機構が欠かせないというような問題も抱えるものとなっていた。
【００１２】
（発明の目的）
そこで、この発明は、コンテナ容量を大きく確保可能であり、コンテナの低重心化による搭載車両の十分な走行安定性を確保することができ、しかも、駆動源などを要せず、散布口の開閉シャッターを手動操作だけで軽快且つ確実に開放、操作可能とする新たな籾殻散布技術の開発はできないものかとの判断から、逸速くその開発、研究に着手し、長期に渡る試行錯誤と幾多の試作、実験とを繰り返してきた結果、今回、遂に新規な構造の籾殻散布装置を実現化することに成功したものであり、以下では、図面に示すこの発明を代表する実施例と共に、その構成を詳述することとする。                                                                                                
【課題を解決するための手段】
【００１３】
（発明の構成）
図面に示すこの発明を代表する実施例からも明確に理解されるように、この発明の籾殻散布装置は、基本的に次のような構成から成り立っている。
即ち、トラクターその他の走行車両に着脱機構を介して連結または搭載可能な概略筐体状のコンテナ部を有し、該コンテナ部底面の前後配置となる二箇所の夫々に、左右に亘って一文字状に開口する前後長所定寸法の散布口を形成すると共に、それら各散布口に向かう漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとした構成を要旨とする籾殻散布装置である。
【００１４】
これを換言すると、トラクターその他の走行車両に着脱機構を介して連結または搭載可能な概略筐体状のコンテナ部を有し、該コンテナ部底面の前後配置となる二箇所の夫々に、左右に亘って一文字状に開口する前後長所定寸法の散布口を形成すると共に、それら各散布口に向かう前後対峙壁面の双方に所定下り勾配をもたせるか、または前後対峙壁面の何れか一方に所定下り勾配をもたせ、且つ前後対峙壁面の何れか他方を垂直状に配するか、の何れか一方とした漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとした籾殻散布装置ということができる。
【００１５】
これら基本的な構成からなる籾殻散布装置の構成をより具体的なものとして示すならば、トラクターその他の走行車両に着脱機構を介して連結または搭載可能な概略筐体状のコンテナ部を有し、該コンテナ部底面の前後均等配置となる二箇所の夫々に、左右に亘って一文字状に開口し、各開口の前後寸法をコンテナ部底面前後長寸法の１／３未満に設定した散布口を形成すると共に、それら各散布口に向かう漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとした構成からなる籾殻散布装置となる。
【００１６】
さらに具体的には、トラクターその他の走行車両に着脱機構を介して連結または搭載可能な概略筐体状のコンテナ部を有し、該コンテナ部底面の前後均等配置となる二箇所の夫々に、左右に亘って一文字状に開口し、各開口の前後寸法をコンテナ部底面前後長寸法の１／３未満に設定した散布口を形成すると共に、それら各散布口に向かう漏斗状のホッパー部を形成するよう、当該散布口直近のコンテナ部底面上要所に４５°以上の下り勾配としたホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなる構成とした籾殻散布装置といえる。                                                                                              
【発明の効果】
【００１７】
以上のとおり、この発明の籾殻散布装置によれば、コンテナ部底面の前後配置となる二箇所の夫々に、左右に亘って一文字状に開口する前後長所定寸法の散布口を形成すると共に、それら各散布口に向かう漏斗状のホッパー部を形成するよう、当該散布口直近のコンテナ部底面上要所に所定角度のホッパー用斜面を夫々形成し、各ホッパー用斜面上縁を頂部とする左右方向縦断面三角型の底面上膨出部を形成したものとした上、各散布口には、前端がわを軸着端とし、後端がわを下向き開放可能な開閉端となし、遠隔または直接操作可能な開閉操作機構あるいは開放操作機構を有する開閉シャッターを組み込んでなるものとしてあり、前後に配した各散布口の前後長寸法を、従来のコンテナ部底面の略全面を開放する従前のものに比較して格段に小さく設定することが可能で夫々の開閉シャッター開閉端の下向き開放寸法を縮小することができ、これによってコンテナ部底面を一段と低く設定可能とし、その分だけコンテナ容量を大きく確保することができ、しかもコンテナの低重心化を実現し得て軟弱な圃場における搭載車両の走行安定性を確保することができようになる上、閉鎖したときに各開閉シャッターに加わる籾殻その他の粒状物や粉状物などの収容物の荷重が各散布口面積の縮小によって大幅に軽減され、駆動源などを必要とせずに手動操作だけで軽快且つ確実に開放操作することができるという秀れた特徴が得られるものとなる。
【００１８】
加えて、散布口直近のコンテナ部底面上要所に所定角度のホッパー用斜面を夫々形成し、各ホッパー用斜面上縁を頂部とする左右方向縦断面三角型の底面上膨出部を形成してコンテナ部内に粒状物や粉状物などが留まる平坦部や鈎状部等を一切排除し、散布作業中において、コンテナ部内の籾殻その他の粒状物や粉状物などの収容物の各散布口に臨む箇所にブリッジのようになって空洞部が形成されてしまうのを確実に阻止可能とし、予期しない散布停止現象を無くして常に効率的な散布作業を実現化できるという大きな効果が得られる。
【００１９】
また、開閉シャッターの前端がわを軸着端とし、後端がわを下向き開放可能な開閉端となし、従来から広く採用されているスライド開閉型のものに比べ、粒状物や粉状物などの目詰まりによる開閉動作不良の発生を確実に阻止可能とすることができる上、散布走行中に開閉端が万が一接地してしまったような場合にも、一時的に開閉端が跳ね上げられて再度自動的且つ速やかに開放状態を復元するよう動作して均等散布をそのまま維持することができるものとするから、コンテナ部を連結または搭載して走行するトラクターその他の走行車両の安定走行を阻害することもなく、開閉シャッターの不用意な破損も未然に防止することができるという利点もある。
【００２０】
さらにまた、各散布口に向かう前後対峙壁面の双方に所定下り勾配をもたせるか、または前後対峙壁面の何れか一方に所定下り勾配をもたせ、且つ前後対峙壁面の何れか他方を垂直状に配するかの何れか一方とした漏斗状のホッパー部を形成するよう、散布口直近のコンテナ部底面上要所に所定角度のホッパー用斜面を夫々形成するようにした場合にも、コンテナ部内に粒状物や粉状物などが留まるような平坦部や鈎状部等を一切排除することができ、散布作業中にホッパー部に臨む空洞部が形成されてしまうのを確実に阻止することができるものとなる。
【００２１】
そして、コンテナ部底面の前後均等配置となる二箇所に形成した散布口の前後寸法を、夫々コンテナ部底面前後寸法の１／３未満に設定したものでは、１／２以上の前後寸法に設定した従来品に比較し、各開閉シャッターの閉鎖したときに加わるコンテナ部内に収容された粒状物や粉状物による荷重を大幅に軽減し、駆動源を要さない手動による開放操作を可能にし、手動によるものでもより軽快且つ円滑に行うことができるものとなり、しかも各開閉シャッターの下向き開放寸法を縮小し、コンテナ部の容量の拡大と低重心化とをより確実に達成することができるという効果も期待できる。
【００２２】
その上、散布口直近のコンテナ部底面上要所に４５°以上の下り勾配としたホッパー用斜面を形成したものでは、４５°未満の下り勾配に設定されたものに比較し、ホッパー用斜面間に臨む籾殻その他の粒状物や粉状物によってブリッジ状の空洞部を形成する現象をより一層確実に防止できるものとなり、散布中に度々形成されがちとなる空洞部を円滑に崩壊させる結果、従前までのものに比較して格段に安定した散布作業を実現化することができるようになるという実用的な効果が得られる。                                                                                  
【発明を実施するための最良の形態】
【００２３】
上記したとおりの構成からなるこの発明の実施に際し、その最良もしくは望ましい形態について説明を加えることにする。
コンテナ部は、圃場に効率的に散布できる程度の量の籾殻を収容可能とし、その底面の散布口を通じて籾殻を均質に散布可能とする機能を果たすものであり、秋から冬にかけた収穫後の田圃や畑等の比較的軟弱な土地を走行するトラクターやトレーラあるいはトラック等に連結あるいは積載可能とするよう、できるだけ軽量な素材からなるものとすべきであり、しかも収納や運搬の際には小型化できるようなものを採用するのが望ましく、籾殻の積載に耐える十分な強度を有する筒型あるいは袋型のネットやシート材を、金属フレーム製などの骨格体内に吊下状に装着したもの、あるいは薄板材を折畳み可能に組み合わせた箱型容器または概略筐体状のもの等とすると極めて好都合のものとなる。
【００２４】
着脱機構は、コンテナ部の適所をトラクターやトレーラあるいはトラック等の適所に対し、着脱自在に連結または搭載可能とすると共に、必要に応じて連結または搭載されたコンテナ部を地上に接地可能とするよう降下させ、且つ所定の高さまで上昇させることができるリフトアップ機能を発揮可能とするものであり、籾殻を満載したコンテナ部を十分な強度をもって連結または搭載可能なものとしなければならず、様々な車両の連結部に適合、使用可能なものとすべきであり、車両への連結または搭載操作を簡便且つ迅速に行えるものとするのが望ましく、トラクターその他の走行車両に設けられているものか、またはコンテナ部の適所に設けられたものかの何れか一方とすることが可能である外、トラクターその他の走行車両とコンテナ部との双方から簡便に取り外して他の車両やコンテナなどに利用可能なものとすることができる。
【００２５】
コンテナ部の底面は、各散布口およびそれらの開閉シャッターやホッパー部などを形成または取り付け可能とし、接地の際にはそれらの機能を破損や変形によって失わないよう保護可能とすると共に、コンテナ部自体を平坦な地上に安定的に据え置き可能とするという機能を果たし、必ず底部全面を平板状に形成する必要はなく、自立可能な程度の枠材部によって形成されたものとすれば足り、籾殻などの粒状物や粉状物を収容するための実質な底面部分を各ホッパー部によって形成するようにして、さらに軽量化したものとするのが望ましい。
【００２６】
ホッパー部は、コンテナ部内に収容された籾殻等の粒状物や粉状物を、コンテナ部底面前後の左右幅に亘って一文字状に開口する散布口を通じて地上に自然落下させ、略均質に散布可能とする機能を果たすものであり、コンテナ部底面の前後配置となる二箇所に開口した各散布口に向かう二つの漏斗状に形成され、各散布口直近のコンテナ部底面上要所に所定角度のホッパー用斜面を夫々形成し、前後散布口間に配された各ホッパー用斜面上端縁を頂部とする左右方向縦断面三角型の底面上膨出部が形成されてなるものとしなければならず、少なくともそれら各散布口に向かう前後対峙壁面の双方に所定下り勾配をもたせるか、または前後対峙壁面の何れか一方に所定下り勾配をもたせ、且つ前後対峙壁面の何れか他方を垂直状に配するかの何れか一方とした漏斗状のものとすべきであり、散布口の上部に空洞部が発生して散布を停止してしまう現象を阻止し、円滑な落下を可能とするよう、ホッパー用斜面が夫々４５°以上の傾斜角度に設定されたものとし、前後何れか一方のホッパー用斜面を、コンテナ部の該当する前後内壁面に連続する略垂直壁面状に形成したものとすることができる。
【００２７】
表現を変えて示すと、ホッパー部は、コンテナ部の前壁下方および後壁下方に夫々連続し、下方に配された前後配置となる二つの散布口に向け、夫々次第に開口面積を縮小する前後ホッパー用斜面と、これら前後ホッパー用斜面の左右側端を隠蔽状に閉鎖するコンテナ部左右面壁からなる垂直面とから形成され、しかも、前側配置ホッパー部の後方上端縁と後側配置ホッパー部の前方上端縁とを、左右方向縦断面形三角型の頂部を形成するよう連続するものとし、籾殻が留まる平坦部や鈎状部等を排除したものであるということもできる。
【００２８】
散布口は、各ホッパー部の下部開口部分を形成し、開閉シャッターによる開閉を可能として閉鎖することにより、コンテナ部内への籾殻などの粒状物や粉状物などの所定量を充填可能とし、その前後長寸法をできるだけ小さく設定することにより、手動操作による開閉シャッターの開閉操作または開放操作を容易なものとし、さらに、開放することによってコンテナ部内に収容された籾殻などの粒状物や粉状物を均等且つ連続的に安定散布可能とする機能を果たし、コンテナ部底面の前後配置となる二箇所の夫々に、左右に亘って一文字状に開口し、前後長所定寸法に形成されたものとしなければならず、より具体的には、コンテナ部底面の前後均等配置となる二箇所の夫々に左右に亘って一文字状に開口し、各開口の前後寸法をコンテナ部底面前後長寸法の１／３未満に設定したものとするのが望ましく、コンテナ部底面に前後均等配置とすることにより、粒状物や粉状物などの散布量を、前後の散布口毎に略均等に分割して放出することが可能となり、各散布口の前後寸法をコンテナ部底面前後長寸法の１／３未満に設定することにより、収容物重量による開閉シャッターへの圧力を大巾に軽減でき、例えば、夫々のシャッター軸に組み込んだギアにチェーンを掛架、連動させた構造の開閉シャッターとしても、その作動を敢えて電動式とするまでもなく、手動操作だけによるものにしたとしても簡単に開放操作できる程のものとすることが可能となり、これをコンテナ部底面前後長寸法の１／３を超えさせてしまうと、モーターやエンジンなどの助けがなければ、その開放操作が到底困難な程に作業者への作動負担が過大になり過ぎるという欠点を生ずることとなる。
【００２９】
開閉シャッターは、コンテナ部底面の前後配置となる二箇所夫々に左右に亘って一文字状に開口し、前後長所定寸法に形成された各散布口を個別に、および／または同時に、それが手動によるものにしたとしても開放操作可能とする機能を果たすものであり、コンテナ部底面の各散布口に夫々組み込まれ、前端がわを軸着端とし、後端がわを下向き開放可能な開閉端となし、遠隔または直接操作可能な開閉操作機構あるいは開放操作機構を有するものとしなければならず、散布口の開放状態を無段階的もしくは段階的に調節可能として籾殻等の粒状物や粉状物の放出量を自在に調整可能なものとすることが可能であり、トラクターやトレーラあるいはトラックその他の走行車両を操縦する者が、コンテナ部の外がわとなる運転席から遠隔的に開閉操作または開放操作可能となるようにするのが望ましく、必要に応じて閉鎖状態を仮固定できる安全装置を設けたものにする等、付随的に必要となる各種補助機構を組み込んでなるものとすることも当然可能である。
【００３０】
開閉シャッターの開閉操作機構は、上記で触れたとおり、各開閉シャッターの夫々をモーターや油圧回路その他特別の駆動源に依ることなく、つまり、それらを組み込んだものとしても差し支えはないものの、敢えてそれらに依らず手動だけでも閉鎖、開放両操作を可能とする機能を果たし、ワイヤーや操作杆などを用いてトラクターその他の走行車両の運転席から遠隔操作可能なものとするのが望ましく、また、開閉シャッターの開放操作機構だけは、各開閉シャッターの夫々をモーターや油圧回路その他の駆動源を必要とせずに、チェーン等で連動させた全ての開閉シャッターを手動だけでも開放操作可能とする機能を果たし得るものとなし、構造を簡素化ができるという利点を生かしたものにしたとしも、閉鎖する作動については、直接的に全ての開閉シャッターを閉鎖（全てを連動したものとして閉鎖、あるいは別々に閉鎖）させる作業を要することになる。
以下では、図面に示すこの発明を代表する実施例と共に、その構造について詳述することとする。                                                                                  
【実施例１】
【００３１】
図１の縦断面化されたコンテナ部底面の側面図、図２の散布作業中のトラクターに連結したコンテナ部の側面図、図３のコンテナ部底面の斜視図に示される事例は、トラクター（走行車両）Ｔに着脱機構２２を介して連結または搭載可能な概略筐体状のコンテナ部２を有し、該コンテナ部２底面２１の前後配置となる二箇所の夫々に、左右に亘って一文字状に開口する前後長所定寸法の散布口４，４を形成すると共に、それら各散布口４，４に向かう漏斗状のホッパー部３，３を形成するよう、当該散布口４，４直近のコンテナ部２底面２１上要所に所定角度のホッパー用斜面３１，３１，……を夫々形成し、各ホッパー用斜面３１，３１，……上端縁を頂部とする左右方向縦断面三角型の底面上膨出部３２を形成したものとした上、各散布口４，４には、前端がわを軸着端５１とし、後端がわを下向き開放可能な開閉端５２となし、遠隔または直接操作可能な開閉操作機構５４あるいは開放操作機構５３を有する開閉シャッター５を組み込んでなる、この発明の籾殻散布装置における代表的な一実施例を示すものである。
【００３２】
当該籾殻散布装置１は、図１ないし図３中に示すように、金属製の矩形骨格枠を組み合わせ、その前後左右の周壁内がわに籾殻Ｃを漏出させることなく収容可能とする筒型のネットか、または軽金属板あるいは合成樹脂板の何れかからなる周壁面を形成して筐体状となし、上面には必要に応じて開閉可能な施蓋用の、図示しない開閉幌または開閉リッドを設け、後述する底面２１を形成してなるコンテナ部２を有し、該コンテナ部２の十分な強度が確保された前面壁適所には、トラクターＴの後部に設けられた連結箇所ａに着脱自在に連結可能な着脱機構２２を設けたものとなっている。
【００３３】
コンテナ部２の底面２１は、コンテナ部２前面壁２３から、底面２１前後長寸法の１／３の寸法分、中央寄りとなる箇所と、底面２１前後長寸法の２／３の寸法分、後面壁２４寄りとなる箇所との二箇所夫々に、コンテナ部２底面２１左右端間に亘って一文字状に開口し、それら各前後長寸法が、コンテナ部２底面２１前後長寸法の１／３ないし１／５となる寸法に設定された平面矩形状の散布口４，４を夫々形成したものとする。
【００３４】
各散布口４，４の直近となるコンテナ部２底面２１上には、夫々各散布口４，４を前後方向から挟み込むよう配置され、それら開口縁に向けて４５°の下り勾配をもって対峙するホッパー用斜面３１，３１，……からなるホッパー部３，３を形成すると共に、各ホッパー用斜面３１，３１，……の上縁を頂部とする左右方向縦断面三角型の底面上膨出部３２，３２，３２が形成されてなるものとし、これらの中前後に配された底面上膨出部３２，３２の各頂部は、夫々コンテナ部２の前後壁面２３，２４の対応する内壁面に一体的に連続するよう形成され、また、コンテナ部２の前後方向中央に配した底面上膨出部３２の頂部は、左右方向縦断面二等辺三角型となるように配してある。
【００３５】
また、各散布口４，４の直下には、それらを個別に閉鎖可能とする前後長寸法および左右幅寸法に設定された矩形開板状の開閉シャッター５，５が装着され、各開閉シャッター５，５の散布口４，４の前方開口縁となるコンテナ部２底面２１下面に対応する前端を、夫々コンテナ部２の左右全幅に亘って配するようにするか、または、同左右方向全幅に亘って複数点在状に配するようにするかした水平軸部によって軸着された軸着端５１，５１とし、それらとは反対がわの各後端がわを下向き開放可能な開閉端５２，５２となし、各散布口４，４の後方開口縁となるコンテナ部２底面２１下面には、図２中に示す、トラクターＴの運転席に取り付けられた図示しない遠隔操作レバーに牽引用ワイヤーを介して接続され、閉鎖した状態の各開閉シャッター５，５開閉端５２，５２の夫々を、個別であって遠隔的に仮固定および開放操作可能とする開放操作機構５３，５３を設けたものとしている。
【００３６】
各開放操作機構５３，５３には、各開閉シャッター５，５を、手動によるか、または、閉鎖牽引用の図示しない閉鎖用ワイヤーの牽引操作によるか、あるいは、閉鎖用操作レバーの閉操作によるかの何れかにより、図１中に二点鎖線で示すように、閉鎖させたときに自動的に閉鎖状態に仮固定可能とするスプリングや永久磁石などを利用した自動復帰型の図示しない係止爪を内蔵しており、開放操作機構５３，５３を夫々個別に遠隔操作して各係止爪を各開閉シャッター５，５開閉端５２，５２の夫々から離脱させ、個別に開放させるよう操作可能としている。
また、各開放操作機構５３，５３は、図示しない開閉用操作レバーを開閉操作することにより、各開閉シャッター５，５の夫々を個別に開閉、遠隔操作可能になるものとし、各開閉シャッター５，５を閉鎖したとき、自動的に仮固定されるよう機能する開閉操作機構５４，５４に置き換えることが可能である。                                                                        
【実施例２】
【００３７】
この発明の籾殻散布装置には、図１中に示したような散布口４，４の配置関係としたものの外に、図４の縦断面化された一部に変更を加えたコンテナ部底面の側面図、図５のまた別の変更を加えたコンテナ部底面を縦断面化した側面図、または、図６のさらに別の変更を加え、縦断面化したコンテナ部底面の側面図に示すように、各部に変更を加えたものも含まれる。
【００３８】
図４中に示す籾殻散布装置１は、コンテナ部２底面２１の前後端の夫々に沿って左右に亘り、一文字状の散布口４，４を開口し、各散布口４，４に開閉シャッター５，５および開放操作機構５３，５３を設け、前がわ配置のホッパー部３は、コンテナ部２前壁面２３の下端がわが前がわの垂直壁面状のホッパー用斜面３１を形成するものとし、後ろがわのホッパー部３は、コンテナ部２後面壁２４の下端がわが後ろがわの垂直壁面状のホッパー用斜面３１を形成するものとなっており、前後散布口４，４の間に配されたホッパー用斜面３１，３１が、各ホッパー用斜面３１，３１上縁を頂部とする左右方向縦断面三角型の底面上膨出部３２を形成したものとしてある。
【００３９】
図５に示した籾殻散布装置１は、コンテナ部２底面２１の前端に、前方配置となる散布口４を開口し、同コンテナ部２底面２１の後端から中央寄りの、同底面２１の前後寸法の２／５となる箇所付近に、後方配置となる散布口４を開口するようにしたものの事例であり、前方配置となる散布口４の前端縁が、コンテナ部２の前壁面２３下端に軸着され、前壁面２３の下方部分が鉛直状のホッパー用斜面３１となり、前方の散布口４と後方の散布口４との間の底面２１上には、後部散布口４の前端縁から鉛直状に立ち上げたホッパー用斜面３１と、その所定高さの頂部から前部散布口４の後端縁に、所定の下り勾配をもって形成されたホッパー用斜面３１とからなる底面上膨出部３２を形成し、また、後部散布口４の後端縁から、コンテナ部２後面壁２４に４５°の下り勾配をつけたホッパー用斜面３１を形成したものである。
【００４０】
また、図６の籾殻散布装置１は、コンテナ部２底面２１の前端から中央寄りの、同底面２１の前後寸法の２／５となる箇所付近に、前方配置となる散布口４を開口し、同コンテナ部２底面２１の後端に、後方配置となる散布口４を開口したものとしてあり、前部散布口４の前端縁から、コンテナ部２前面壁２３に４５°の下り勾配をもつホッパー用斜面３１を形成し、また、前方の散布口４と後方の散布口４との間の底面２１上には、前部散布口４の後端縁から４５°の角度の下り勾配で延伸させたホッパー用斜面３１と、その所定高さの頂部から後部散布口４の前端縁に、所定の下り勾配をつけたホッパー用斜面３１とからなる底面上膨出部３２を形成し、さらに、後方配置となる散布口４の後端縁が、同図６中に二点差線で示すように、閉鎖姿勢のときにコンテナ部２の後壁面２４下端に接合されるようにし、後壁面２４の下方部分が鉛直状のホッパー用斜面３１を形成するようにしてある。
【００４１】
（実施例作用）
以上のとおりの構成からなるこの発明の籾殻散布装置１は、図２中に示すように、コンテナ部２の前方適所に設けられた着脱機構２２を、トラクターＴ後部の連結箇所ａに簡便に連結、搭載することが可能であり、図１ないし図３中に示す、各開閉シャッター５，５を閉鎖させ、図１中の開放操作機構５３，５３に仮固定して前後散布口４，４を閉じた後、同コンテナ部２の天面開口を通じて籾殻Ｃを充填した上、対象となる圃場まで移動して籾殻Ｃの散布を開始可能とする。
【００４２】
図１中に二点鎖線で示すように、閉鎖状態にある各開閉シャッター５，５には、収容した籾殻Ｃ全量によって発生する下向きの圧力Ｐの中、前後のホッパー部３，３の各ホッパー用斜面３１，３１（底面上膨出部３２を含む。）が受け止める軽減圧力ｐ，ｐ，……を除いた、同図１中に波線矢印で示す負荷圧力ＰＢ，ＰＢだけが加わっている。
【００４３】
図２中に示すように、圃場に進入させたトラクターＴを散布開始位置まで移動させてから、運転席に設けられている図示しない遠隔操作レバーを操作し、図１中の前後何れか一方、例えば後方配置の開放操作機構５３のロックを解除させ、後部の開閉シャッター５だけを、同図１中に実線で示すように開放し、コンテナ部２内に収容された籾殻Ｃを、散布口４の全幅に亘って均質に散布していくが、各ホッパー用斜面３１，３１（底面上膨出部３２を含む。）の上部には、平坦な面や鈎状部分などの籾殻Ｃの落下を阻害するような形状部分が一切存在せず、コンテナ部２内が鉛直状の壁面および下り勾配の斜面だけから形成されており、従来発生していたような空洞部の形成による意想外な散布停止の発生を確実に阻止するものとなる。
【００４４】
加えて、図１中に示した、前後の散布口４，４夫々の前後長寸法を、コンテナ部２底面２１前後長寸法の１／３ないし１／５となる寸法に設定し、それらを開閉する前後開閉シャッター５，５の前後長寸法を、図９中に示した、コンテナ部２底面２１の前後長寸法と略同じ長さか、または１／２程度の前後長かの何れかに一方に設定された従来型の開閉シャッター５，５に比較して格段に小型化でき、図１中に示す、一枚の開閉シャッター５に加わる籾殻Ｃの荷重による負荷圧力ＰＢを大幅に軽減することが可能となり、各開放操作機構５３，５３に必要となる開放操作力を軽減化でき、モーター他の駆動源などを要せずに手動だけで開放操作する。
【００４５】
また、前後配置の開閉シャッター５，５の各前後長寸法を縮小してあり、図９中に示した従来型の開閉シャッター５，５の開放上下寸法Ｍ（ｍ）に比較し、図１中に示してある開閉シャッター５，５の開放上下寸法ｍを格段に縮小でき、その分コンテナ部２底面２１と地上面との距離を縮めても、より安定した車両走行および散布が可能となり、図２中に示すコンテナ部２天面までの地上高Ｈに制限を受けるコンテナ部２の全高寸法ｈを、図８中に示した従来型のコンテナ部２の天面までの地上高Ｈに制限を受ける全高寸法ｈより大きく設定することが可能となり、コンテナ部２の籾殻Ｃ収容量の拡大と低重心化とが可能となる。
【００４６】
後方配置の散布口４のホッパー部３上方に収容した籾殻Ｃの全てを放出し、同後部散布口４からの籾殻Ｃ散布が停止したのを確認した後、図示しない遠隔操作レバーを操作して図１中の前方配置の開放操作機構５３を解除し、前部の開閉シャッター５を開放させ、前方配置の散布口４を通じてコンテナ部２内の前部ホッパー部３上に残された籾殻Ｃを均等に散布していき、収容した全ての籾殻Ｃの散布を完了させる。
【００４７】
全ての籾殻Ｃを散布し終えた後は、トラクターＴを停止させ、手作業か、または適宜遠隔操作可能な閉鎖機構を操作するかの何れかにより、前後開閉シャッター５，５の夫々を閉鎖し、開放操作機構５３，５３に係止させて仮固定してから、再度コンテナ部２天面の開口部分から新たな籾殻Ｃを充填し、同様の散布作業を続けることができる外、倉庫などの保管場所に移動した後、コンテナ部２をトラクターＴの連結箇所ａに設けられた図示しないダンプ機構によってゆっくりと降下させて地上に安定に接地させた上、該連結箇所ａから離脱させて散布作業を終了する。
【００４８】
図４に取り上げた籾殻散布装置１は、コンテナ部２底面２１の前後に配したホッパー部３，３の散布口４，４間の底面上膨出部３２を形成するホッパー用斜面３１，３１が、中央の頂部を境に緩やかに前後方向に傾斜させたものとなっているが、それら底面上膨出部３２のホッパー用斜面３１，３１に対峙するコンテナ部２前壁面２３下部、および後面壁２４下部の夫々からなる各ホッパー用斜面３１，３１を垂直面状に形成してあって、各ホッパー部３，３を前後非対称形状となし、収容された籾殻の崩壊と落下とを促して空洞部が形成されないようにしてある。
【００４９】
同様に、図５および図６に示した各籾殻散布装置１，１もまた、前後各ホッパー部３，３上に前後対象形状の空洞部が形成されるようなことはなく、したがって、予期せぬ事態によって散布を停止させてしまうようなことを無くして安定した籾殻散布がほしょうされることとなる。
【００５０】
（実施例の効果）
以上のような構成からなる実施例１の籾殻散布装置１は、前記この発明の効果の項で記載の特徴に加え、図１中に示した、前後に配された散布口４，４の各前後長寸法を、コンテナ部２底面２１前後長寸法の１／３ないし１／５とするよう設定し、同図１中に二点鎖線で示すよう、閉鎖された各開閉シャッター５，５には、籾殻Ｃによる荷重圧力Ｐの中の１／３ないし１／５に縮減された負荷圧力ＰＢ，ＰＢだけが加わり、各開閉シャッター５，５の開放に要する操作力を、従前のものより遙かに軽減することが可能となり、非力な高齢者や女性による手動操作であっても軽快に開放することができるものになるという利点が得られる。
【００５１】
加えて、各散布口４，４より上方のコンテナ部２内には、ホッパー部３，３を含め、平坦面や鈎状面などの籾殻Ｃを留めるような形状を一切排除しており、しかも各ホッパー用斜面３１に４５°の下り勾配をもたせ、前後散布口４，４間に配された各ホッパー用斜面３１，３１上縁同士の接合部分を頂部とする左右方向縦断面三角型の底面上膨出部３２を形成してあり、籾殻Ｃの放出中に空洞部が形成されてブリッジ状態を呈してしまうような事態を確実に阻止でき、常に円滑且つ安定的な散布を実現化している。
【００５２】
また、前述のように前後長寸法を小さくした前後開閉シャッター５，５は、図１と図９の従来型の開閉シャッター５，５の下向き開放寸法ｍ（Ｍ）との比較によって明確に理解できるように、トラクターＴに連結したときに地上面からコンテナ部２底面２１下面までの必要上下寸法を縮小できてコンテナ部２を低重心化することができる上、図２と図８の従来型のコンテナ部とに示したように、トラクターＴの走行安全性を確保可能なコンテナ部２の高さ上限Ｈに制限のあるコンテナ部２の全高寸法ｈが、図８中の従来型に比較して大きく設定でき、したがって、コンテナ部２の容量を拡大することとなって、より効率的な籾殻Ｃの散布作業を実現化することが可能になるという特徴を発揮している。
【００５３】
さらに、開放操作機構５３，５３は、前後の開閉シャッター５，５の夫々を個別に開放可能とする機能だけのものとし、トラクターＴ走行中の軽快な開放操作を実現化すると共に、トラクターＴを停止させれば、簡便な操作によって直接的に閉鎖することができ、しかも、複雑化してしまう遠隔的な閉鎖機構を採用せず、図示しない遠隔操作レバー、牽引用ワイヤーおよび係止爪（何れも図示せず。）などといったできるだけ簡潔な部品の組み合わせによって形成するようにし、籾殻散布装置１の一段の簡素化、軽量化、低価格化が実現されるようにしてあり、広く採用、普及し得るものになるという効果の期待できるものとなっている。
【００５４】
図４に示した籾殻散布装置１の場合は、コンテナ部２の前後散布口４，４間となる底面２１上に、緩やかな下り勾配をもつホッパー用斜面３１，３１からなる底面上膨出部３２を形成したものとしているが、コンテナ部２の前後壁面２３，２４内側の各下端がわが形成する垂直面状のホッパー用斜面３１，３１に夫々対峙し、縦断面形状が前後アンバランスなホッパー部３，３を形成しており、これら鉛直面状のホッパー用斜面３１，３１が散布中の籾殻Ｃを円滑に流動、降下させて空洞部の形成を確実に阻止するものとなり、しかも、図１ないし図３中に示した籾殻散布装置１と同様、低重心化や容量の拡大を図ることができるという効果を発揮するものとなる。
【００５５】
図５ならびに図６に夫々示した籾殻散布装置１，１もまた、前後散布口４，４の配置関係や、各ホッパー用斜面３１，３１，……の傾斜角度、および底面上膨出部３２の左右方向縦断面形状に僅かな違いはあるものの、何れも籾殻Ｃの円滑な流動、散布を促して空洞部の発生を確実に阻止することができると共に、コンテナ部２の低重心化と容量の拡大とを実現化することとなって、安全性と作業の効率化とに秀れた籾殻Ｃの散布を実現可能としている。
【００５６】
（結  び）
叙述の如く、この発明の籾殻散布装置は、その新規な構成によって所期の目的を遍く達成可能とするものであり、従前からの籾殻散布装置に比較しても部品点数に大きな変わりのない簡素な構造によって実現可能となるので製造も容易で、比較的廉価に提供することが可能になる上、籾摺作業から圃場への運搬、散布までの一連の作業を一段と効率化させ得ることから、人手不足や高齢化等の問題を抱える農家にとって作業効率を高める上で大いに威力を発揮すると共に、毎年大量に発生してその処理に苦慮してきた籾殻を、有効な有機物資材として圃場土壌養分の富化に役立て、化学肥料の使用量を削減または極力無くす上で役立つものとなり、経費削減と優良米の生産とに寄与し得るものであり、圃場への籾殻散布に多大の関心を寄せる稲作農家にとっては勿論のこと、農機具業界においても高い評価がなされることとなって、広範に渡って利用、普及していくものになると予想される。                                                                                          
【図面の簡単な説明】
【００５７】
図面は、この発明の籾殻散布装置の技術的思想を具現化した代表的な幾つかの実施例を示すものである。
【図１】コンテナ部底面を縦断面化して示す側面図である。
【図２】トラクターによる散布作業中の籾殻散布装置を示す側面図である。
【図３】コンテナ部底面を示す斜視図である。
【図４】一部に変更を加えたコンテナ部底面を縦断面化して示す側面図である。
【図５】別の一部に変更を加えたコンテナ部底面を縦断面化して示す側面図である。
【図６】さらに別の一部に変更を加えたコンテナ部底面を縦断面化して示す側面図である。
【図７】空洞部が形成された従来型コンテナ部を縦断面化して示す側面図である。
【図８】従来型の籾殻散布装置による散布作業を示す側面図である。
【図９】従来型のコンテナ底面を縦断面化して示す側面図である。
【符号の説明】
【００５８】
１      籾殻散布装置
２      コンテナ部
２１    同  底面
２２    同  着脱機構
２３    同  前壁面
２４    同  後面壁
３      ホッパー部
３１    同  ホッパー用斜面
３２    同  底面上膨出部
４      散布口
５      開閉シャッター
５１    同  軸着端
５２    同  開閉端
５３    同  開放操作機構
５４    同  開閉操作機構
Ｃ      籾殻
Ｐ      籾殻による荷重圧力
ｐ    同  ホッパー用斜面によって軽減された圧力
ＰＢ    同  開閉シャッターが受ける負荷圧力
Ｓ      空洞部
Ｔ      トラクター
ａ    同  連結箇所
Ｍ      全面型シャッターの開放上下寸法
ｍ      開閉シャッターの開放上下寸法
Ｈ      コンテナ部天面までの地上高寸法
ｈ      コンテナ部の全高寸法                                                                          
【図１】
2008136459.tif 000003
【図２】
2008136459.tif 000004
【図３】
2008136459.tif 000005
【図４】
2008136459.tif 000006
【図５】
2008136459.tif 000007
【図６】
2008136459.tif 000008
【図７】
2008136459.tif 000009
【図８】
2008136459.tif 000010
【図９】
2008136459.tif 000011